(57)【特許請求の範囲】
【請求項１】
内筒の軸線に平行な支軸により揺動可能に支承され、中心部に鍵挿通孔を開口させた環状のタンブラーを、鍵挿通孔の開口端縁に形成した係合突起が鍵孔に挿入される鍵本体部の擂鉢形の鍵の窪みに近接する方向に付勢し、係合突起が鍵の窪みの底面に当接したとき、タンブラーの外縁部に形成された解錠切欠がロッキングバーと整合して解錠状態となるロータリーディスクタンブラー錠の仕切板であって、大体の形状が円形で、その外周縁に複数の耳片を突設し、上端から順に、ばね軸孔、支軸孔、鍵孔、係止軸孔及びロッキングバー案内溝を形成した板状体の少なくとも一面の中央部に、タンブラーとの接触面積を小さくするため、ばね軸孔、支軸孔、係止軸孔及びロッキングバー案内溝と外周部を除いて、全体が形状が略Ｈ字形で、深さが０．１〜０．５ミリメートルの浅い凹部を形成したことを特徴とするシリンダ錠の仕切板。
【発明の詳細な説明】
【技術分野】
【０００１】
この発明は、シリンダ錠の仕切板（以下単に仕切板という）に係り、特に、タンブラーとの摩擦を少なくし得る仕切板に関する。
【背景技術】
【０００２】
本出願人は先に、下記特許文献１を以て、新規なロータリーディスクタンブラー錠を提案した。
【０００３】
このロータリーディスクタンブラー錠は、従来の所謂レバータンブラー錠を改良したもので、図１に示すように、内筒１の軸線に平行な支軸２により揺動可能に支承され、中心部に鍵挿通孔３を開口させた環状のタンブラー４を、図示しないタンブラーばねにより、その係合突起５が鍵６の擂鉢形の鍵の窪み（以下単に窪みという）７に近接する方向に付勢し、係合突起が鍵の窪みの底面に当接したとき、タンブラーの解錠切欠８がロッキングバー９と整合して解錠状態となる。
【０００４】
なお、何故解錠状態となるかは、特許文献１に記載されていて周知であるから更に詳細な説明は省略する。
【特許文献１】特開２００３−１９３７１５
【発明の開示】
【発明が解決しようとする課題】
【０００５】
上記のように構成されたロータリーディスクタンブラー錠は、図１から明らかなように、ロータリーディスクタンブラー（以下単にタンブラーという）４が従来のレバータンブラーより大きいので、内筒の仕切板１１との接触面積が大きい。
【０００６】
そのため、タンブラーと仕切板１１との間の摩擦抵抗が大きくなり、例えば長期間の使用により鍵孔から塵埃や砂等が侵入した場合にはタンブラーの戻りの動きが円滑でなくなる、という不都合が生じる。
【０００７】
この不都合を解消するため、タンブラーを鍵６方向に付勢するタンブラーばね（図示しない）の弾力を大きくすると、今度は鍵３の出し入れが渋くなる、等未だ改良の余地がある。
【０００８】
そこで、この発明は、タンブラーとの摩擦を少なくし得る仕切板を提供し、もって上記した不都合を解消することを目的としている。
【課題を解決するための手段】
【０００９】
上記の目的を達成するため、請求項１に記載の発明は、内筒の軸線に平行な支軸により揺動可能に支承され、中心部に鍵挿通孔を開口させた環状のタンブラーを、鍵挿通孔の開口端縁に形成した係合突起が鍵孔に挿入される鍵本体部の擂鉢形の鍵の窪みに近接する方向に付勢し、係合突起が鍵の窪みの底面に当接したとき、タンブラーの外縁部に形成された解錠切欠がロッキングバーと整合して解錠状態となるロータリーディスクタンブラー錠の仕切板であって、大体の形状が円形で、その外周縁に複数の耳片を突設し、上端から順に、ばね軸孔、支軸孔、鍵孔、係止軸孔及びロッキングバー案内溝を形成した板状体の少なくとも一面の中央部に、タンブラーとの接触面積を小さくするため、ばね軸孔、支軸孔、係止軸孔及びロッキングバー案内溝と外周部を除いて、全体が形状が略Ｈ字形で、深さが０．１〜０．５ミリメートルの浅い凹部を形成したことを特徴とする。
【発明の効果】
【００１０】
上記のように構成されたこの発明の一実施例による仕切板は、例えば図１と図２を比較すれば明らかなように、タンブラー４の大部分は凹部と重合するので摩擦が大幅に減少する一方、要部は凹部が形成されていない地の部分と摺接して確実に案内がなされる、という所期の効果を奏する。
【発明を実施するための最良の形態】
【００１１】
仕切板の中央部に、ばね軸孔、支軸孔、係止軸孔及びロッキングバー案内溝と外周部を除いて、浅い凹部を形成する、という簡単な構成で、ロータリーディスクタンブラーの円滑な動きを長期間維持できるようにした。
【実施例１】
【００１２】
以下、請求項１に記載の発明の一実施例を図２及び図３を参照して説明する。
図２において符号１１は仕切板の全体を示し、この仕切板１１の外周部には複数（図示の実施例では４個）の耳片１２、１２が突設されている。
【００１３】
これらの耳片１２、１２は、内筒のリテーナー１３（図１参照）に列設された付番しない取付孔に挿入されて内筒を構成するためのものであるが、これらの構成については前記特許文献１に記載されていて従来周知であるから、更に詳細な説明は省略する。
【００１４】
また、仕切板には、上から順に、ばね軸孔１４、支軸孔１５、鍵孔１６、係止軸孔１７及びロッキングバー案内溝１８が形成されている。
【００１５】
これらの開口或いは溝については、前記特許文献１に記載されていて従来周知であるから、更に詳細な説明は省略する。
【００１６】
なお、図２において符号１９で示す６個の円形の開口は貯溜孔を示し、この貯溜孔１９は、鍵孔からロータリーディスクタンブラー錠の内筒に侵入した塵埃や砂を貯溜してタンブラーの円滑な動きを長期間維持するようにしたものであるが、この貯溜孔は本願発明の要旨ではないので更に詳細な説明は省略する。
【００１７】
そして、仕切板１１の少なくとも一面の中央部に、ばね軸孔１４、支軸孔１５、係止軸孔１７及びロッキングバー案内溝１８と外周部を除いて、浅い凹部２１が形成されている。
【００１８】
ハッチングを施し、全体の形状が略Ｈ字形の凹部２１の深さは例えば０．１〜０．５ミリメートル程度の浅いものでよく、例えばプレス加工により容易に加工できる。
【００１９】
上記のように構成されたこの発明の一実施例による仕切板は、凹部の部分はタンブラーと接触しないのでタンブラーの動きが円滑であることは前記した通りで、かつ、その円滑な動きを長期間確保することができる。
【００２０】
なお、この凹部は、上記貯溜孔１９と同様に、鍵孔から内筒に侵入した塵埃や砂の貯溜部としても機能する。
【実施例２】
【００２１】
図３はこの発明の他の実施例を示し、この実施例は、前記貯溜孔１９が開口していない仕切板にこの発明を適用したものである。
【００２２】
この実施例２による仕切板も、前記実施例１におけるものと同様の作用効果を有することは言うまでもない。
【図面の簡単な説明】
【００２３】
【図１】ロータリーディスクタンブラー錠の拡大横断面図。
【図２】この発明の一実施例による仕切板の拡大正面図。
【図３】この発明の他の実施例による仕切板の拡大正面図。
【符号の説明】
【００２４】
１  内筒
２  支軸
３  鍵挿通孔
４  タンブラー
５  係合突起
６  鍵
７  窪み
８  解錠切欠
９  ロッキングバー
１１  仕切板
１２  耳片
１３  リテーナー
１４  ばね軸孔
１５  支軸孔
１６  鍵孔
１７  係止軸孔
１８  ロッキングバー案内孔
１９  貯溜孔
２１  凹部
【図１】
0005476672.tif 000002
【図２】
0005476672.tif 000003
【図３】
0005476672.tif 000004